(57)【特許請求の範囲】
【請求項１】
四角形状の底板と、該底板の四辺に折目を介して一体に設けられる前側板，後側板，左側板，右側板と、前記前側板と前記左側板とを連結する左前側連結片と、前記前側板と前記右側板とを連結する右前側連結片と、前記後側板と前記左側板とを連結する左後側連結片と、前記後側板と前記右側板とを連結する右後側連結片と、前記左側板の左端部に折目を介して一体に設けられる左頂板と、前記右側板の右端部に折目を介して一体に設けられる右頂板とを備えた板状部材を組み立てることにより形成される包装箱において、
前記左頂板は、折目を介して、前記左側板の内面側と外面側の双方に折曲可能に形成されるとともに、前後方向両端部に、前後方向に突出し、且つ、折目を介して前記左頂板の内面側と外面側の双方に折曲可能な一対の係止片を備え、
前記右頂板は、折目を介して、前記右側板の内面側と外面側の双方に折曲可能に形成されるとともに、前後方向両端部に、前後方向に突出し、且つ、折目を介して前記右頂板の内面側と外面側の双方に折曲可能な一対の係止片を備え、
前記前側板と前記後側板の上縁部に、前記各係止片が係止される係止孔がそれぞれ形成され、
前記各係止片に段部を形成するとともに、前記係止孔に前記段部を通過させる切込線が設けられ、
前記左前側連結片と前記左後側連結片とは、折目を介して前記左側板の前後方向の両端部にそれぞれ一体に設けられ、
前記右前側連結片と前記右後側連結片とは、折目を介して前記右側板の前後方向の両端部にそれぞれ一体に設けられ、
前記前側板と前記左前側連結片との間、前記前側板と前記右前側連結片との間、前記後側板と前記左後側連結片との間、前記後側板と前記右後側連結片との間に、前記各係止片を挿入して係止する挿入部をそれぞれ形成し、
前記左頂板と前記右頂板とを、折目を介して前記左側板と右側板の内面側にそれぞれ折曲するとともに、前記各係止片を、折目を介して前記左頂板と前記右頂板の内面側にそれぞれ折曲して、前記各係止片を前記各係止孔に係止する収容物収容状態と、前記左頂板と前記右頂板とを、折目を介して前記左側板と前記右側板の外面側にそれぞれ折曲するとともに、前記各係止片を、折目を介して前記左頂板と前記右頂板の外面側にそれぞれ折曲して、前記各係止片を前記各挿入部に挿入する収容物取り出し状態とに組換え可能であることを特徴とする包装箱。
【請求項２】
前記左側板と前記左頂板との間に設けられる折目と、前記右側板と前記右頂板との間に設けられる折目とに、リード罫または逆罫を入れたことを特徴とする請求項１記載の包装箱。
【請求項３】
前記挿入部の上部と下部とに、前記係止片を前記挿入部に差し込む際のガイド及び係止部となる一対の係止突片が形成されていることを特徴とする請求項１又は２記載の包装箱。
【発明の詳細な説明】
【技術分野】
【０００１】
本発明は、１枚の板状部材を所定の形状に打ち抜いて組み立てることにより形成される包装箱に関し、詳しくは、果実や生鮮野菜等のパックを収容して、多段積みにすることができる包装箱に関する。
【背景技術】
【０００２】
従来、果実や生鮮野菜等のパックを収容して、多段積みにする包装箱として、１枚の板状部材を所定の形状に打ち抜いて、折目に沿って折り曲げることで形成されるものがあり、四角形状の底板と、底板の四辺に折目を介して一体に設けられる前側板，後側板，左側板，右側板と、四隅の上部に設けられる頂部縁片とを備え、収容物を外から見やすくするとともに、包装箱を多段積みする際に、頂部縁片により収容物を保護して傷まないようにしたものがあった（例えば、特許文献１参照。）。
【先行技術文献】
【特許文献】
【０００３】
【特許文献１】特開２００５−１７０４７９号公報
【発明の概要】
【発明が解決しようとする課題】
【０００４】
しかし、上述の特許文献１のものでは、頂部縁片が、収容した果実や生鮮野菜等のパックの一部を覆っていることから、陳列時に収容されたパックを取り出しにくかった。
【０００５】
そこで本発明は、収容物を傷つけることなく多段積みにすることができるとともに、収容物を良好に取り出すことができる包装箱を提供することを目的としている。
【課題を解決するための手段】
【０００６】
上記目的を達成するため、本発明の包装箱は、四角形状の底板と、該底板の四辺に折目を介して一体に設けられる前側板，後側板，左側板，右側板と、前記前側板と前記左側板とを連結する左前側連結片と、前記前側板と前記右側板とを連結する右前側連結片と、前記後側板と前記左側板とを連結する左後側連結片と、前記後側板と前記右側板とを連結する右後側連結片と、前記左側板の左端部に折目を介して一体に設けられる左頂板と、前記右側板の右端部に折目を介して一体に設けられる右頂板とを備えた板状部材を組み立てることにより形成される包装箱において、前記左頂板は、折目を介して、前記左側板の内面側と外面側の双方に折曲可能に形成されるとともに、前後方向両端部に、前後方向に突出し、且つ、折目を介して前記左頂板の内面側と外面側の双方に折曲可能な一対の係止片を備え、前記右頂板は、折目を介して、前記右側板の内面側と外面側の双方に折曲可能に形成されるとともに、前後方向両端部に、前後方向に突出し、且つ、折目を介して前記右頂板の内面側と外面側の双方に折曲可能な一対の係止片を備え、前記前側板と前記後側板の上縁部に、前記各係止片が係止される係止孔がそれぞれ形成され、前記各係止片に段部を形成するとともに、前記係止孔に前記段部を通過させる切込線が設けられ、前記左前側連結片と前記左後側連結片とは、折目を介して前記左側板の前後方向の両端部にそれぞれ一体に設けられ、前記右前側連結片と前記右後側連結片とは、折目を介して前記右側板の前後方向の両端部にそれぞれ一体に設けられ、前記前側板と前記左前側連結片との間、前記前側板と前記右前側連結片との間、前記後側板と前記左後側連結片との間、前記後側板と前記右後側連結片との間に、前記各係止片を挿入して係止する挿入部をそれぞれ形成し、前記左頂板と前記右頂板とを、折目を介して前記左側板と右側板の内面側にそれぞれ折曲するとともに、前記各係止片を、折目を介して前記左頂板と前記右頂板の内面側にそれぞれ折曲して、前記各係止片を前記各係止孔に係止する収容物収容状態と、前記左頂板と前記右頂板とを、折目を介して前記左側板と前記右側板の外面側にそれぞれ折曲するとともに、前記各係止片を、折目を介して前記左頂板と前記右頂板の外面側にそれぞれ折曲して、前記各係止片を前記各挿入部に挿入する収容物取り出し状態とに組換え可能であることを特徴としている。
【０００７】
また、前記左側板と前記左頂板との間に設けられる折目と、前記右側板と前記右頂板との間に設けられる折目とに、リード罫または逆罫を入れると好ましく、さらに、前記挿入部の上部と下部とに、前記係止片を前記挿入部に差し込む際のガイド及び係止部となる一対の係止突片が形成されていると好適である。
【発明の効果】
【０００８】
本発明の包装箱によれば、収容物を収容した後、左頂板と右頂板とを、折目を介して左側板と右側板の内面側に折曲し、各係止片を係止孔に係止することにより、収容物の上部に左頂板と右頂板とを配置させることができ、包装箱を多段積みにしても収容物を傷つける虞がない。また、収容物を取り出す際には、左頂板と右頂板とを、折目を介して、左側板と右側板の外面側にそれぞれ折曲し、各係止片を各挿入部に挿入して係止することにより、包装箱の上部全体を大きく開口させることができ、収容物を良好に取り出すことができる。
【０００９】
また、左側板と左頂板との間に設けられる折目と、右側板と右頂板との間に設けられる折目とに、リード罫または逆罫を入れたことにより、前記各折目を介して、左頂板と右頂板とを、左側板と右側板の内面側と外面側の双方に良好に折曲することができる。さらに、挿入部の下部に、係止片を挿入部に差し込む際のガイド及び係止部となる係止突片を形成したことにより、係止片を挿入部に容易に挿入させて、確実に係止させることができる。
【図面の簡単な説明】
【００１０】
【図１】本発明の第１形態例を示す包装箱の展開図である。
【図２】同じく一部を折曲した状態を示す包装箱の斜視図である。
【図３】同じく左頂板及び右頂板の係止片を係止孔に係止させる状態の斜視図である。
【図４】同じく左頂板及び右頂板の係止片を係止孔に係止させた状態の包装箱の斜視図である。
【図５】同じく左頂板及び右頂板の係止片を係止孔に係止させた状態の包装箱の要部側面図である。
【図６】同じく左頂板及び右頂板の係止片を挿入部に挿入させる際の説明図である。
【図７】同じく左頂板及び右頂板の係止片を挿入部に挿入させた状態の包装箱の斜視図である。
【図８】同じく左頂板及び右頂板の係止片を挿入部に挿入させた状態の包装箱の要部側面図である。
【図９】本発明の第２形態例を示す包装箱の展開図である。
【図１０】同じく一部を折曲した状態を示す包装箱の斜視図である。
【発明を実施するための形態】
【００１１】
図１乃至図８は本発明の包装箱を、例えば苺のパックを縦横二列ずつ４パック収容する包装箱に適用した第１形態例を示すもので、包装箱１は、段ボールシートからなる板状部材２を図１に示す展開図のように打ち抜いて組み立てることにより形成される。なお、図１において、板状部材２は、包装箱１の前側面を下方、後側面を上方、左側面を左側、右側面を右側に向けた状態である。以下の説明において、図１の上下方向を包装箱１の前後方向とし、図１の左右方向を包装箱１の左右方向として説明する。
【００１２】
板状部材２は、長方形状の底板３と、底板３の一対の長辺にそれぞれ折目Ａ１，Ａ２を介して一体に設けられる前側板４，後側板５と、底板３の一対の短辺にそれぞれ折目Ａ３，Ａ４を介して一体に設けられる左側板６，右側板７と、左側板６の前側及び後側にそれぞれ折目Ａ５，Ａ６を介して一体に設けられる左前側連結片８及び左後側連結片９と、右側板７の前側及び後側にそれぞれ折目Ａ７，Ａ８を介して一体に設けられる右前側連結片１０及び右後側連結片１１と、左側板６と右側板７の左右方向外縁部にそれぞれ折目Ａ９，Ａ１０を介して一体に設けられる左頂板１２及び右頂板１３とを備えている。
【００１３】
前側板４は、底板３に前記折目Ａ１を介して連続して形成される前側外板４ａと、前側外板４ａの前記折目Ａ１に対向する外縁部に、折目Ａ１１を介して一体に形成される前側上縁板４ｂと、前側上縁板４ｂの前記折目Ａ１１に対向する外縁部に折目Ａ１２を介して一体に形成される前側内板４ｃとで構成され、前側内板４ｃの左右方向両端部には、折目Ａ１３，Ａ１４を介して、第１左側内板半体１４と第１右側内板半体１５とがそれぞれ一体に設けられている。さらに、第１左側内板半体１４と第１右側内板半体１５の左右方向両端部には、切取り線Ｂ１，Ｂ２を介して、仕切板１６，１６が切り取り可能に設けられ、仕切板１６の底板側辺の中央部には、スリット１６ａがそれぞれ形成されている。
【００１４】
後側板５は、底板３に前記折目Ａ２を介して連続して形成される後側外板５ａと、後側外板５ａの前記折目Ａ２に対向する外縁部に、折目Ａ１５を介して一体に形成される後側上縁板５ｂと、後側上縁板５ｂの前記折目Ａ１５に対向する外縁部に折目Ａ１６を介して一体に形成される後側内板５ｃとで構成され、後側内板５ｃの左右方向両端部に折目Ａ１７，Ａ１８を介して、第２左側内板半体１７と第２右側内板半体１８とがそれぞれ一体に設けられている。
【００１５】
左側板６は、左前側連結片８が連結される折目Ａ５が、底板３の前側外板４ａが連結される折目Ａ１よりも板状部材２の内側に形成されるとともに、左後側連結片９が連結される折目Ａ６が、底板３の後側外板５ａが連結される折目Ａ２よりも板状部材２の内側に形成され、左側板６の折目Ａ５から折目Ａ６までの長さ寸法は、底板３の折目Ａ１から折目Ａ２までの長さ寸法よりも短くなっている。
【００１６】
右側板７は、右前側連結片１０が連結される折目Ａ７が、底板３の前側外板４ａが連結される折目Ａ１よりも板状部材２の内側に形成されるとともに、右後側連結片１１が連結される折目Ａ８が、底板３の後側外板５ａが連結される折目Ａ２よりも板状部材２の内側に形成され、右側板７の折目Ａ７から折目Ａ８までの長さ寸法は、底板３の折目Ａ１から折目Ａ２までの長さ寸法よりも短くなっている。
【００１７】
左頂板１２及び右頂板１３と左側板６及び右側板７との間に設けられた前記折目Ａ９，Ａ１０には、リード罫または逆罫が入れられており、左頂板１２及び右頂板１３は、左側板６又は右側板７の内面側と外面側に向けてそれぞれ折曲可能に形成されている。また、左頂板１２の前後方向両端部には、折目Ａ１９，Ａ１９を介して、前後方向に突出する一対の係止片１２ａ，１２ａが、右頂板１３の前後方向両端部には、折目Ａ２０，Ａ２０を介して前後方向に突出する一対の係止片１３ａ，１３ａがそれぞれ形成され、各係止片１２ａ，１３ａは、折目Ａ１９，Ａ２０を介して左頂板１２又は右頂板１３の内面側と外面側に向けてそれぞれ折曲可能に形成されている。各係止片１２ａ，１３ａは、基端側から先端側に向けて漸次幅が狭くなる略楔状に形成され、外側面が腕曲面で形成されるとともに、各係止片１２ａ，１３ａの基端部は、左頂板１２又は右頂板１３よりも外側に突出し、各係止片１２ａの基端部と左頂板１２との間と、各係止片１３ａの基端部と右頂板１３との間には、段部１２ｂ，１３ｂがそれぞれ形成されている。
【００１８】
前側上縁板４ｂと後側上縁板５ｂとには、左頂板１２及び右頂板１３を折目Ａ９，Ａ１０から左側板６又は右側板７の内面側に向けて折曲し、且つ、各係止片１２ａ，１３ａを折目Ａ１９，Ａ２０から左頂板１２又は右頂板１３の内面側に向けてそれぞれ折曲した際に、各係止片１２ａ，１３ａが挿入される矩形の係止孔１９がそれぞれ穿設される。また、各係止孔１９には、各係止片１２ａ，１３ａの段部１２ｂ，１３ｂを通過させる切込線１９ａがそれぞれ設けられている。
【００１９】
また、底板３の長辺となる折目Ａ１，Ａ２の中央部には、切欠き２０，２０がそれぞれ形成され、前側内板４ｃの中央部には、切欠き２０に挿入される突部４ｄが、後側内板５ｃの中央部には、切欠き２０に挿入される突部５ｄがそれぞれ設けられる。さらに、前側上縁板４ｂの中央部には、前側外板４ａの内面側に前側内板４ｃを折り込んだ際に上方に突出する突片４ｅを形成するための切起こし線が、後側上縁板５ｂの中央部には、後側外板５ａの内面側に後側内板５ｃを折り込んだ際に上方に突出する突片５ｅを形成するための切起こし線がそれぞれ設けられている。
【００２０】
左前側連結片８と左後側連結片９とは、左側端部に開口する凹部８ａ，９ａをそれぞれ備えたコ字状に形成され、左前側連結片８と左後側連結片９の左右方向の長さ寸法は、それぞれ前側外板４ａ又は後側外板５ａの前後方向の長さ寸法から、板状部材２の厚さ寸法を引いた寸法に形成されている。また、左前側連結片８と左側板６との間の折目Ａ５の中間位置には、左側板６から左前側連結片方向に突出する一対の係止突片６ａ，６ａを形成するための切起こし線が所定の間隔を有して形成されるとともに、左後側連結片９と左側板６との間の折目Ａ６の中間位置にも同様に、左側板６から左後側連結片方向に突出する一対の係止突片６ｂ，６ｂを形成するための切起こし線が所定の間隔を有して形成されている。
【００２１】
右前側連結片１０と右後側連結片１１とは、左前側連結片８と左後側連結片９と同様に、右側端部に開口する凹部１０ａ，１１ａをそれぞれ備えたコ字状に形成され、右前側連結片１０と右後側連結片１１の左右方向の長さ寸法は、それぞれ前側外板４ａ又は後側外板５ａの前後方向の長さ寸法から、板状部材２の厚さ寸法を引いた寸法に形成されている。また、右前側連結片１０と右側板７との間の折目Ａ７の中間位置には、右側板７から右前側連結片方向に突出する一対の係止突片７ａ，７ａを形成するための切起こし線が所定の間隔を有して形成されるとともに、右後側連結片１１と右側板７との間の折目Ａ８の中間位置にも同様に、右側板７から右後側連結片方向に突出する一対の係止突片７ｂ，７ｂを形成するための切起こし線が所定の間隔を有して形成されている。なお、左前側連結片８，左後側連結片９，右前側連結片１０，右後側連結片１１の左右方向の長さ寸法は、板状部材２の強度や厚さ寸法等により適宜設定すれば良く、上述の寸法に限るものではない。
【００２２】
次に、上述した板状部材２を折曲加工して、包装箱１を形成する手順について説明する。
【００２３】
まず、切取り線Ｂ１，Ｂ２を介して、仕切板１６を第１左側内板半体１４と第１右側内板半体１５からそれぞれ切り離す。次いで、折目Ａ３を介して左側板６を底板３から立ち上げ、左前側連結片８を、折目Ａ５を介して折目Ａ１方向へ、左後側連結片９を折目Ａ６を介して折目Ａ２方向へそれぞれ折曲するとともに、折目Ａ４を介して右側板７を底板３から立ち上げ、右前側連結片１０を折目Ａ７を介して折目Ａ１方向へ、右後側連結片１１を折目Ａ８を介して折目Ａ２方向へそれぞれ折曲する。
【００２４】
前側外板４ａを折目Ａ１に沿って立ち上げ、前側上縁板４ｂを折目Ａ１１に沿って底板３と平行に折曲し、次いで、前側内板４ｃを折目Ａ１２に沿って内側、すなわち底板３側に折り畳む。前側内板４ｃと前側外板４ａとの間に左前側連結片８と右前側連結片１０とを挟みながら、前側外板４ａの内側に前側内板４ｃを重ね、突部４ｄを切欠き２０に係合させて固定する。さらに、折目Ａ１３を介して、第１左側内板半体１４を折目Ａ３方向へ折曲して左側板６の内側に配置するとともに、折目Ａ１４を介して、第１右側内板半体１５を折目Ａ４方向へ折曲して右側板７の内側に配置する。
【００２５】
前側板４と同様に、後側外板５ａを折目Ａ２に沿って底板３から立ち上げ、後側上縁板５ｂを折目Ａ１５に沿って底板３と平行に折曲し、次いで、後側内板５ｃを折目Ａ１６に沿って内側に折り畳む。後側内板５ｃと後側外板５ａとの間に左後側連結片９と右後側連結片１１とを挟みながら、後側外板５ａの内側に後側内板５ｃを重ね、突部５ｄを切欠き２０に係合させて固定する。さらに、折目Ａ１７を介して、第２左側内板半体１７を折目Ａ３方向へ折曲して左側板６の内側に配置するとともに、折目Ａ１８を介して、第２右側内板半体１８を折目Ａ４方向へ折曲して右側板７の内側に配置する。
【００２６】
次に、左頂板１２を折目Ａ９から左側板６の内面側に向けて、底板３と平行になるように略９０°折曲し、係止片１２ａ，１２ａを折目Ａ１９，Ａ１９を介して左頂板１２の内面側に向けてそれぞれ９０°折曲して係止孔１９，１９に係止させる。同様に右頂板１３を折目Ａ１０から右側板７の内面側に向けて、底板３と平行になるように略９０°折曲し、係止片１３ａ，１３ａを折目Ａ２０，Ａ２０を介して右頂板１３の内面側に向けて９０°折曲して係止孔１９，１９に係止させる。
【００２７】
仕切板１６，１６のスリット１６ａ，１６ａを相互に嵌め合わせ、十字状に組み合わせて、底板３の中央に配置する。
【００２８】
このように折曲加工された包装箱１は、前側板４と後側板５とが、突部４ｄ，５ｄを切欠き２０，２０にそれぞれ係合させることにより、底板３に立設した状態で確実に保持させることができるとともに、左前側連結片８と右前側連結片１０とが前側外板４ａと前側内板４ｃとの間に挟持され、さらに左後側連結片９と右後側連結片１１とが後側外板５ａと後側内板５ｃとの間に挟持されることから、左側板６及び右側板７も底板３から立設した状態で確実に保持させることができる。
【００２９】
また、左側板６と左前側連結片８とを連結する折目Ａ５は、底板３の前側外板４ａが連結される折目Ａ１よりも板状部材２の内側に形成され、左側板６と左後側連結片９とを連結する折目Ａ６は、底板３の後側外板５ａが連結される折目２Ａよりも板状部材２の内側に形成されるとともに、右側板７と右前側連結片１０とを連結する折目Ａ７は、底板３の前側外板４ａが連結される折目Ａ１よりも板状部材２の内側に形成され、右側板７と右後側連結片１１とを連結する折目Ａ８は、底板３の後側外板５ａが連結される折目Ａ２よりも板状部材２の内側に形成されていることから、左前側連結片８及び右前側連結片１０と前側外板４ａとの間、及び、左後側連結片９及び右後側連結片１１と後側外板５ａとの間には隙間がそれぞれ形成される。さらに、この各隙間の上部と下部とに、一対の係止突片６ａ，６ｂ，７ａ，７ｂが配置され、一対の係止突片６ａ，６ａの間、係止突片６ｂ，６ｂの間、係止突片７ａ，７ａの間、係止突片７ｂ，７ｂの間に形成される空間部が、各係止片１２ａ，１３ａが挿入される挿入部２１となる。さらに、前側上縁板４ｂと後側上縁板５ｂから突片４ｅ，５ｅが上方に向けてそれぞれ突出する。
【００３０】
上述の包装箱１に、４つの苺パックを収容する際には、図３乃至図５に示されるように、上述のような手順で底板３の周囲に前側板４，後側板５，左側板６，右側板７を立設した後、底板３の中央に、十字状に組み合わせた仕切板１６，１６を配置し、４つに区分けされた空間に苺パックをそれぞれ１個づつ収容する。次いで、左頂板１２を折目Ａ９から左側板６の内面側に向けて、底板３と平行になるように略９０°折曲し、係止片１２ａ，１２ａを折目Ａ１９，Ａ１９を介して左頂板１２の内面側に向けて９０°それぞれ折曲して係止孔１９，１９に挿入する。同様に右頂板１３を折目Ａ１０から右側板７の内面側に向けて、底板３と平行になるように略９０°折曲し、係止片１３ａ，１３ａを折目Ａ２０，Ａ２０を介して右頂板１３の内面側に向けて９０°折曲して係止孔１９，１９に挿入する。このとき、各凹部８ａ，９ａ，１０ａ，１１ａは、各係止片１２ａ，１３ａが係止孔１９に挿入される際の逃げ部となり、各係止片１２ａ，１３ａは、段部１２ｂ，１３ｂが切込線１９ａをそれぞれ通過し、前側上縁板４ｂ又は後側上縁板５ｂの内部に入り込んで係止される。
【００３１】
これにより、苺を傷つけることなく包装箱１に収容できるとともに、左頂板１２と右頂板１３とが苺パックの上部を覆うことから、包装箱１の上部に他の包装箱１を重ねることができる。さらに、下方の包装箱１の前側上縁板４ｂと後側上縁板５ｂから突出した突片４ｅ，５ｅと、上方の包装箱の切欠き２０，２０とを係合させることで、包装箱１を多段積みしても荷崩れする虞がない。また、各係止片１２ａ，１３ａを各係止孔１９に挿入させる際に、凹部８ａ，９ａ，１０ａ，１１ａが逃げ部となることから、各係止片１２ａ，１３ａを各係止孔１９に良好に挿入させることができる。
【００３２】
苺のパックを包装箱１に収容したまま陳列する上述の収容物収容状態から、苺のパックを取り出す収容物取り出し状態に包装箱１を組換える際には、図６乃至図８に示されるように、左頂板１２の各係止片１２ａを各係止孔１９から外し、折目Ａ９を介して、左側板６の外面側に向けて、左頂板１２を左側板６の外面側に重ねるように約２７０°折り返すとともに、各係止片１２ａを折目Ａ１９を介して左頂板１２の外面側に向けて１８０°折曲し、各挿入部２１にそれぞれ挿入する。同様に、右頂板１３の各係止片１３ａを係止孔１９から外し、折目Ａ１０を介して、右側板７の外面側に向けて、右頂板１３を右側板７の外面側に重ねるように略２７０°折り返すとともに、各係止片１３ａを折目Ａ２０を介して右頂板１３の外面側に向けて１８０°折曲し、各挿入部２１にそれぞれ挿入する。各係止片１２ａ，１３ａは、各挿入部２１を通過後、各段部１２ｂ，１３ｂが下方の係止突片６ａ，６ｂ，７ａ，７ｂにそれぞれ当接して係止される。
【００３３】
これにより、包装箱１の上部を大きく開口させることができ、４つの苺パックを良好に包装箱１から取り出すことができる。また、各係止片１２ａ，１３ａを各挿入部２１に挿入させる際には、係止突片６ａ，６ｂ，７ａ，７ｂがガイド及び係止部となり、各係止片１２ａ，１３ａを各挿入部２１に容易に挿入させることができ、また、確実に係止させることができる。
【００３４】
図９及び図１０は、本発明の第２形態例を示すもので、本形態例の包装箱３１は、例えばトマトやキュウリなどの収容物を梱包するもので、底板３の中央に仕切板を配置する必要のないものに適用される。なお、第１形態例と同様の構成要素を示すものには、同一の符号をそれぞれ付して、その詳細な説明は省略する。
【００３５】
本形態例の包装箱３１を構成する板状部材３２では、前側板４は、底板３に前記折目Ａ１を介して連続して形成される前側外板４ａと、前側外板４ａの前記折目Ａ１に対向する外縁部に、折目Ａ１１を介して一体に形成される前側上縁板４ｂと、前側上縁板４ｂの前記折目Ａ１１に対向する外縁部に折目Ａ１２を介して一体に形成される前側内板４ｃとで構成され、第１形態例の第１左側内板半体１４と、第１右側内板半体１５と、仕切板１６，１６とは形成しない。
【００３６】
後側板５は、底板３に前記折目Ａ２を介して連続して形成される後側外板５ａと、後側外板５ａの前記折目Ａ２に対向する外縁部に、折目Ａ１５を介して一体に形成される後側上縁板５ｂと、後側上縁板５ｂの前記折目Ａ１５に対向する外縁部に折目Ａ１６を介して一体に形成される後側内板５ｃとで構成され、第１形態例の第２左側内板半体１７と、第２右側内板半体１８とは形成しない。
【００３７】
左前側連結片３３は、基端部となる折目Ａ５から先端までの長さ寸法（Ｌ１）が、前側板４の基端部となる折目Ａ１から突部４ｄを除く先端までの長さ寸法（Ｌ２）よりも僅かに長く形成され、左側板６の近傍に、左側端部に開口する凹部３３ａを備えている。さらに、左前側連結片３３は、凹部３３ａを備えた基部３３ｂの左右方向の長さ寸法が、前側外板４ａの前後方向の長さ寸法から、板状部材３２の厚さ寸法を引いた寸法に形成されるとともに、先端部３３ｃは、左端面が先端に向けて、漸次、前側板４に近付く傾斜面で形成され、左右方向の長さ寸法が、基部３３ｂよりも短く形成されている。
【００３８】
左後側連結片３４は、基端部となる折目Ａ６から先端までの長さ寸法が、後側板５の基端部となる折目Ａ２から突部５ｄを除く先端までの長さ寸法よりも僅かに長く形成され、左側板６の近傍に、左側端部に開口する凹部３４ａを備えている。さらに、左後側連結片３４は、凹部３４ａを備えた基部３４ｂの左右方向の長さ寸法が、後側外板５ａの前後方向の長さ寸法から、板状部材３２の厚さ寸法を引いた寸法に形成されるとともに、先端部３４ｃは、左端面が先端に向けて、漸次、後側板５に近付く傾斜面で形成され、左右方向の長さ寸法が、基部３４ｂよりも短く形成されている。
【００３９】
右前側連結片３５は、基端部となる折目Ａ７から先端までの長さ寸法が、前側板４の基端部となる折目Ａ１から突部４ｄを除く先端までの長さ寸法（Ｌ２）よりも僅かに長く形成され、右側板７の近傍に、右側端部に開口する凹部３５ａを備えている。さらに、右前側連結片３５は、凹部３５ａを備えた基部３５ｂの左右方向の長さ寸法が、前側外板４ａの前後方向の長さ寸法から、板状部材３２の厚さ寸法を引いた寸法に形成されるとともに、先端部３５ｃは、右端面が先端に向けて、漸次、前側板４に近付く傾斜面で形成され、左右方向の長さ寸法が、基部３５ｂよりも短く形成されている。
【００４０】
右後側連結片３６は、基端部となる折目Ａ８から先端までの長さ寸法が、後側板５の基端部となる折目Ａ２から突部５ｄを除く先端までの長さ寸法よりも僅かに長く形成され、右側板７の近傍に、右側端部に開口する凹部３６ａを備えている。さらに、右後側連結片３６は、凹部３６ａを備えた基部３６ｂの左右方向の長さ寸法が、後側外板５ａの前後方向の長さ寸法から、板状部材３２の厚さ寸法を引いた寸法に形成されるとともに、先端部３６ｃは、右端面が先端に向けて、漸次、後側板５に近付く傾斜面で形成され、左右方向の長さ寸法が、基部３６ｂよりも短く形成されている。
【００４１】
上述のように形成された第２形態例では、第１形態例で行う仕切辺１６，１６の切り取り、組み立て作業を省略できるとともに、第１左側内板半体１４，第２左側内板半体１７，第１右側内板半体１５，第２右側内板半体１８を設けていないことから、板状部材３２の組み立て作業の工程が減少し、作業性の向上が図れる。
【００４２】
なお、本発明は上述の各形態例のような収納物に限らず、どのような収容物でも差し支えない。また、特許請求の範囲の記載内において、包装箱の構成要素は種々の変形が可能である。
【符号の説明】
【００４３】
１…包装箱、２…板状部材、３…底板、４…前側板、４ａ…前側外板、４ｂ…前側上縁板、４ｃ…前側内板、４ｄ…突部、４ｅ…突片、５…後側板、５ａ…後側外板、５ｂ…後側上縁板、５ｃ…後側内板、５ｄ…突部、５ｅ…突片、６…左側板、６ａ，６ｂ…係止突片、７…右側板、７ａ，７ｂ…係止突片、８…左前側連結片、８ａ…凹部、９…左後側連結片、９ａ…凹部、１０…右前側連結片、１０ａ…凹部、１１…右後側連結片、１１ａ…凹部、１２…左頂板、１２ａ…係止片、１２ｂ…段部、１３…右頂板、１３ａ…係止片、１３ｂ…段部、１４…第１左側内板半体、１５…第１右側内板半体、１６…仕切板、１６ａ…スリット、１７…第２左側内板半体、１８…第２右側内板半体、１９…係止孔、１９ａ…切込線、２０…切欠き、２１…挿入部、３１…包装箱、３２…板状部材、３３…左前側連結片、３３ａ…凹部、３３ｂ…基部、３３ｃ…先端部、３４…左後側連結片、３４ａ…凹部、３４ｂ…基部、３４ｃ…先端部、３５…右前側連結片、３５ａ…凹部、３５ｂ…基部、３５ｃ…先端部、３６…右後側連結片、３６ａ…凹部、３６ｂ…基部、３６ｃ…先端部
【図１】
0006744189.tif 000002
【図２】
0006744189.tif 000003
【図３】
0006744189.tif 000004
【図４】
0006744189.tif 000005
【図５】
0006744189.tif 000006
【図６】
0006744189.tif 000007
【図７】
0006744189.tif 000008
【図８】
0006744189.tif 000009
【図９】
0006744189.tif 000010
【図１０】
0006744189.tif 000011